(57)【要約】【課題】凍結事故を防止でき、寒冷地においても安心して使用できる湯水の混合水栓柱を提供する。【解決手段】地中、凍結深度以下に埋設され、湯水の流入口と排出口を有する弁箱内を、地上部上端のハンドルに操作軸を介して連結された弁体が移動して開栓、排出両状態を選択するようにし、上記それぞれの流入口からの湯水を、上記操作軸と同心となる最外方の化粧管とともに立上管により別体に上方へ立ち上げて分岐弁に接続し、上記分岐弁に湯と水の止め弁および混合部と放出口を、止め弁と放出口が化粧管から外方に突出するように設けている。【選択図】図１
2005146627.tif 000002
【特許請求の範囲】
【請求項１】
地中、凍結深度以下に埋設され、湯水の流入口と排出口を有する弁箱内を、地上部上端のハンドルに操作軸を介して連結された弁体が移動して開栓、排出両状態を選択するようにし、上記それぞれの流入口からの湯水を、上記操作軸と同心となる最外方の化粧管とともに立上管により別体に上方へ立ち上げて分岐弁に接続し、上記分岐弁に湯と水の止め弁および混合部と放出口を、止め弁と放出口が化粧管から外方に突出するように設けてなる寒冷地用混合水栓柱。
【請求項２】
上記操作軸の左右、ほぼ対照的に上記湯水の立上管を配置してなる請求項１記載の寒冷地用混合水栓柱。
【請求項３】
上記化粧管を水の立上管とする請求項１記載の寒冷地用混合水栓柱。
【請求項４】
上記操作軸を湯または水の立上管とする請求項１記載の寒冷地用混合水栓柱。
【請求項５】
弁箱と分岐弁を接続する、操作軸と同心のパイプを水の立上管とし、湯の立上管を水の立上管の外方に位置させてなる請求項１記載の寒冷地用混合水栓柱。
【発明の詳細な説明】
【技術分野】
【０００１】
本発明は、庭等に設置され、水だけでなく湯も使用できる寒冷地用の混合水栓柱に関するものである。
【背景技術】
【０００２】
最近、寒くなってきた時、あるいは汚れ落ちの良いことから、屋外での手洗いや洗車等の目的のため、水だけでなく湯も使用できる水栓柱が使用され始めてきた。
【０００３】
しかし、北海道、東北等の寒冷地においては、冬期間、水栓柱内の湯水が凍結して使用できない、あるいは管の破損事故につながり、多大な費用がかかるため、一般的にはほとんど普及していなかった。
【特許文献１】特開２００２−３４８９２０号公報
【発明の開示】
【発明が解決しようとする課題】
【０００４】
そのため、寒冷地においても安心して使用できる混合水栓柱を提供することを目的とするものである。
【課題を解決するための手段】
【０００５】
湯水の流入口と排出口を有する弁箱内を、地上部上端のハンドルに操作軸を介して連結された弁体が移動して開栓、排出両状態を選択するようにし、上記それぞれの流入口からの湯水を、操作軸と同心となる最外方の化粧管とともに立上管により別体に上方へ立ち上げることを最も主要な特徴とする。
【発明の効果】
【０００６】
本発明により、比較的単純な構造で、見栄えも良く、確実に湯水の凍結を防止できる混合水栓柱を提供できるので、寒冷地における快適な暮らしの向上に大きく貢献できるものである。  
【発明を実施するための最良の形態】
【０００７】
寒冷地用の混合水栓柱を提供するという目的を、最も確実に実現し、化粧管が最適の大きさになるよう、操作軸、湯水の立上管を配置した。
【実施例１】
【０００８】
図１は本発明の１実施例を示す断面図で、図２はその直角方向の断面図であるが、両図において、１は地中、凍結深度以下に埋設された弁箱であり、２は下端側方に開口する水の流入口、３はその上方に開口する湯の流入口、４はその中間部に開口する湯と水の排出口である。５は水のバイパス路、６は湯のバイパス路である。なお、図示しないが、排出口４には、地中の汚水が弁箱１に入り込まないよう、逆止弁が取り付けられる。
【０００９】
内部には、上から順に同径の４個のシリンダ７，８，９，１０を、湯の流入口３の上下に７，８が、排出口４の上下に９，１０が位置するよう形成し、その下方、水の流入口２の側方に小径シリンダ１１を設け、上端に弁座１２を形成する。
【００１０】
弁箱１の内部には、弁体１３が収容され、弁体１３には、上記シリンダ７，８，９，１０を摺動する４個の環状パッキン１４，１５，１６，１７を装着し、下端に、小径シリンダ１１を摺動する樹脂製の制水環１８および弁座１２に密着する平パッキン１９をビス２０により離脱しないよう装着する。なお、湯水の流入口２，３間に排出口４を配置しているので、開栓状態で環状パッキン１６，１７に事故があったような場合にも、水側に湯が混入する汚染を効果的に防止することができる。  
【００１１】
弁体１３は中実のロッドからなる操作軸２１により上方に延長され、軸継手２２，軸継手２２に管吊結合された操作桿２３を介して地上部上端のハンドル２４に連結されている。
【００１２】
弁箱１は、外観光沢を有する円形のステンレス薄肉管からなる化粧管２５により操作軸２１と同心状に地上部に延長され、化粧管２５は上端部に３個の横穴を穿ち、対応する位置に収容する分岐弁２６を、上記横穴から外方に突出する水の止め弁２７の弁蓋２８、湯の止め弁２７’の弁蓋２８’および放出口２９の放出継手３０によりパッキン３１、３１’、３１”を介して化粧管２５に固定するようにしている。
【００１３】
水の止め弁２７は、弁蓋２８と分岐弁２６の水側弁座３２に密着する止めパッキン３３および止めハンドル３４を装着する止め弁体３５を有しており、それは湯の止め弁についても全く同様であり、弁蓋２８’、湯側弁座３２’に密着する止めパッキン３３’および止めハンドル３４’を装着する止め弁体３５’を有している。
【００１４】
放出口２９は、放出継手３０に挿入された放出管３６を樹脂製の割カラー３７を介してナット３８により離脱しないよう、回転自在に構成されている。
【００１５】
分岐弁２６は、上端に操作桿２３の作動用雄ねじ３９が螺合する作動用金具４０をねじ接続しており、下端に、操作軸２１の左右対象位置に水のバイパス路５と湯のバイパス路６に連通する、銅管製の水の立上管４１と湯の立上管４１’を挿入している。図では立上管４１，４１’は単にＯリングシールをしているが、よりシール性を良くするために、ナットでパッキンを締め付けるようにしても良い。止め弁体３５，３５’、放出口２９がねじ接続される上下の鍔部４２，４３には漏水防止用のＯリング４４，４５が装着され、両者間に全周に亘って湯水の混合部４６を形成する。
【００１６】
図は弁体１３の開栓状態を示しており、水の流入口２からの水は、水のバイパス路５，水の立上管４１を通って水側弁座３２に達している。同様に、湯の流入口３からの湯は、湯のバイパス路６，湯の立上管４１’を通って湯側弁座３２’に達している。この状態から止めハンドル３４，３４’を回転させれば、湯水は混合部４６を通って放出口２９から放出される。
【００１７】
通常はこの状態で使用されているが、冬期間、水の凍結が心配なときには、ハンドル２４を回転させると、作動用雄ねじ３９により操作桿２３は作動用金具４０内を回転しながら下降し、同時に、操作桿２３に管吊連結された軸継手２２および軸継手２２に操作軸２１を介して接続された弁体１３は、弁箱１内を回転することなく下降する。
【００１８】
このとき、制水環１８が小径シリンダ１１に密着して水の流入口２を閉塞し、環状パッキン１５がシリンダ８に密着して湯の流入口３を閉塞した後で、環状パッキン１７がシリンダ１０から離脱し、環状パッキン１６もシリンダ９から離脱して、止め弁２７，２７’を開放しておけば、放出管３６から空気を吸い込みながら水の立上管４１，湯の立上管４１’内の湯水は排出口４から同時に地中に排出され始め、さらに下降して平パッキン１９が弁座１２に密着して排出状態となる。
【００１９】
そのため、管内には水が残らず、北海道のような厳寒地においても、残留水が凍結して管路を閉塞し、水が出てこないとか、凍結して破損するというような事故は生じないことになる。なお、弁箱１部分は、地熱により凍結することがない、地中、凍結深度以下に埋設されていることは勿論である。
【００２０】
パッキン等の修理で弁体１３を弁箱１から引き抜きたいときは、ハンドル２４を取ってから作動用金具４０を外せば、弁体１３は容易に化粧管２５から抜けてくる。また、化粧管２５は適宜な太さを有しているため、貧弱感が無く、安定性があり、光沢を有していること、円形なので、ハンドル２４を余り隙間無く化粧管２５にかぶせておけること等のため、審美性が良く、またハンドル２４の色彩を考慮すれば、良いアクセントにもなる。さらに、ハンドル２４が大径で長いため、操作性が良く、力の弱い人でも楽に操作できるものである。
【００２１】
本実施例においては、弁箱１と分岐弁２６を、止め弁２７，２７’、放出口２９により化粧管２５を介して間接的に接続するようにしており、操作軸２１を囲繞して直接弁箱１と分岐弁２６を接続するパイプを必要とせず、それだけコストが安くなり、立上管４１，４１’の配置も余裕ができ、また、弁体１３だけでなく、化粧管２５から、立上管４１，４１’を含めた分岐弁２６を抜き出すことも容易に行えるという利点がある。
【実施例２】
【００２２】
図３に本発明の他の実施例を示すが、水の流入口２からの水は、水のバイパス路５を通って直接化粧管２５に流れ込み、水の止め弁２７に達するようにし、湯の流入口３からの湯は、弁体１３内部に穿った連通孔４７を通り、立上管となる中空の操作軸２１を通って湯の止め弁２７’に導通させている。
【００２３】
軸継手２２に２本の作動用Ｏリング４８，４９を装着し、分岐弁２６内部に設けた操作用シリンダ５０，５１を摺動するようにしている。操作軸２１，化粧管２５は圧力容器になるため、また腐食による漏水等を考慮して、少し肉厚のステンレス管を使用している。
【００２４】
化粧管内に湯を通すようにもできるが、やけどする危険性もあり、避けた方がよい。その他の作動態様は図１のものと同様である。
【００２５】
本実施例においては、図１の立上管４１，４１’を省略できるので、構造も単純になり、組立も容易に行える、という利点がある。
【実施例３】
【００２６】
図４，図５に本発明の他の一つの実施例を示すが、弁箱１と分岐弁２６は、操作軸２１を同心状に囲繞する立上管４１によって接続されている。化粧管２５は、断面矩形の薄肉アルミ製で形成されており、下端に底蓋５２を、上端に、上方が円形の上蓋５３を装着している。
【００２７】
分岐弁２６は、図１乃至図３のように化粧管２５との間をＯリング４４，４５でシールするのではなく、弁蓋２８，２８’間をＯリング５４，５４’で密封しており、混合部４６を片壁にのみ設けるようにしている。
【００２８】
本実施例においては、化粧管２５は耐圧性、強度を必要としないので、アルミ製にでき、コストも安く、また、着色も自由にできるため審美性に優れており、矩形を有しているので、分岐弁２６への、止め弁２７，２７’、放出口２９の接続、シールが容易で、混合部４６も形成しやすい、という利点がある。
【実施例４】
【００２９】
図６にもう一つの実施例を示すが、弁箱１は上方に水の流入口２を、下端に湯の流入口３を設け、図１の弁座１２、小径シリンダ１１の代わりに他と同径のシリンダ１１’を形成している。弁箱１と分岐弁２６（図面省略）接続する、軸心２１と同心のパイプを水の立上管４１とし、その外方に湯の立上管４１’を位置させている。
【００３０】
下降して開栓状態となる弁体１３は、内部に主に排水のための連通口４７を穿っており、弁１３が上昇したとき、環状パッキン１６，１７がシリンダ８，９から離脱して排出状態となる。
【００３１】
本実施例においては、弁座がないため構造が単純になり、湯の流路を操作軸２１に設けていないので軸継手２２（図面省略）のＯリングは１本で済み、弁箱１，分岐弁２６をねじ接続するパイプを水の立上管４１としているため、ねじ部のシール材あるいは接着剤が熱により劣化してシール性、接着性を失う恐れがない、という利点がある。
【実施例５】
【００３２】
図７に本発明のもう一つ別の実施例を示すが、弁箱を外側の弁箱１と内側の弁箱１’の二つに分割し、弁箱１に水の排出口４と、湯の排出口４’を紙面と直角方向に別体に設け、弁箱１’の最下端シリンダ１０の下端部に下向きの弁座５５を形成する。
【００３３】
弁体１３の下端部を囲繞するように、上端と下端に突起密封面５６，５６’を有する密封部５７をゴムにより一体に形成し、圧力の高い流入口２からの水を確実にシールするようにしている。
【００３４】
流入口２からの水は化粧管２５内へ、流入口３からの湯は操作軸２１内に流れるようにしており、弁箱１’を接続する支持管５８の存在により、湯水の立上管を同心上に設けているにもかかわらず、開栓状態において、万一、操作軸２１から漏水があったような場合においても、湯は排出口４’から排出され、水側に混入することはなく、また、排出状態においても、湯と水の排出口４’、４は別体で混合することはないので、より安全になる、という利点がある。
【００３５】
実施例として、弁体はいずれも上下動して開栓、排出状態を選択するものを使用しているが、これは回転動のみのものを採用しても良く、最近、混合栓等で多く使用されているセラミック製弁体を使用することもでき、ハンドル回転角度が少なくて済むので、操作性が良くなる、という利点がある。これは、止め弁２７，２７’についても同様である。
【産業上の利用可能性】
【００３６】
本発明は、住宅の庭だけでなく、公園等、不特定多数の人が使用する公共性の場に設置しても良く、工場内で洗浄用として使用することもでき、審美性、操作性の良さも考慮しており、いずれにしても寒冷地の快適な生活向上に大きく貢献できるものである。
【図面の簡単な説明】
【００３７】
【図１】本発明の１実施例を示す、開栓状態の縦断面図である。（実施例１）
【図２】図１の直角方向の縦断面図である。（実施例１）
【図３】本発明の他の実施例を示す、開栓状態の縦断面図である。（実施例２）
【図４】本発明の他の一つの実施例を示す、部分縦断面図である。（実施例３）
【図５】図４のＡ−Ａ断面図である。（実施例３）
【図６】本発明のもう一つの実施例を示す、開栓状態の部分縦断面図である。（実施例４）
【図７】本発明のもう一つ別の実施例を示す、開栓状態の部分縦断面図である。（実施例５）
【符号の説明】
【００３８】
１  弁箱
２  水の流入口
３  湯の流入口
４，４’  排出口
１３  弁体
２１  操作軸
２６  分岐弁
２７、２７’  止め弁
２９  放出口
４１，４１’  立上管
４６  混合部
【図１】
2005146627.tif 000003
【図２】
2005146627.tif 000004
【図３】
2005146627.tif 000005
【図４】
2005146627.tif 000006
【図５】
2005146627.tif 000007
【図６】
2005146627.tif 000008
【図７】
2005146627.tif 000009